(57)【要約】【課題】開放防止用ラッチ機構を備えた引き戸用引き手を提供する。【解決手段】引き戸４の側端に形成した装着穴８に上下端と内側端が接し且つ外側端が引き戸側端に露出する枠部１２と、枠部１２前端の外側内側の各端部近傍を覆う前縁部材１６，１６ａと、枠部後端２３を横切る背面部材１５と、枠部１２の装着穴８への係止手段２０とを有してなる引き手枠１１を形成し、引き手枠１１の外側前縁部材１６の中央に貫通窓１７を形成する一方、枠部１２内周よりもやや小さく外側端近傍中央には前方突出し且つ先端が内側に傾斜するラッチ爪３１を備えてなるラッチ片３０の内側端を引き手枠１１の内側端寄りに前後回動可能に装着し、ラッチ片３０と背面部材１５との間には付勢手段３５を介在させ、ラッチ片３０外側端が外側前縁部材１６に当接し且つラッチ爪３１の先端が前縁部材１６の貫通窓１７から前方突出するように付勢する。【選択図】　　　　図１
2004060317.tif 000002
【特許請求の範囲】
【請求項１】
前面板とこれに略直交する端面板とを有してなる引き戸の前面側端に形成した略矩形の装着穴の上下端と内側端にそれぞれの対応端が接し且つ外側端が引き戸の側端面に露出する略矩形の枠部と、該枠部前端の外側と内側の端部近傍を覆う前縁部材と、前記枠部後端を横切る背面部材と、前記枠部を前記装着穴に装着穴外端側から挿入して装着穴に係止する係止手段とを有してなる引き手枠を形成し、該引き手枠の前記外側前縁部材の中央には貫通窓を形成する一方、前記引き手枠の枠部内周よりもやや小さく外側端近傍の中央に前方突出し且つ外側面が内側に傾斜するラッチ爪を備えてなるラッチ片の内側端を、前記引き手枠の枠内の内側端寄りに前後回動可能に装着し、ラッチ片と前記背面部材との間には付勢手段を介在させ、ラッチ片外側端が引き手枠の外側前縁部材に当接し且つラッチ爪先端が前縁部材の貫通窓から前方突出するように付勢した構成からなる、引き戸用ラッチ付き引き手。
【請求項２】
引き戸の装着穴への引き手枠の係止手段が、引き手枠の枠部前方の上下端および内側端のうち少なくとも上下端からそれぞれ外向け垂直に突出形成した鍔部または段部と、該鍔部または段部背後の枠部の少なくとも上下端に配設した係止爪と、前記枠部後端の外側端寄りに引き戸端面板に沿う方向に形成した切欠溝とで構成され、前記鍔部または段部と係止爪とが引き戸前面板の装着穴端縁を挟持して引き手枠の前後動を規制し且つ左右動を許容するとともに、前記切欠溝には引き戸端面板の装着穴端縁を係合させ引き手枠の左右動を規制するようにしてなる、請求項１記載の引き戸のラッチ付き引き手。
【請求項３】
引き手枠の枠部前端部は、内側端近傍から内側端にかけて次第に前方に張り出す前方張り出し部を備え、ラッチ片は内側端寄りが前記枠部の前端部に合わせ前方に曲折する形状に形成する一方、前記枠部内の上下面の内側端寄り前端近傍とラッチ片上下端縁の内側端寄りのいずれか一方には突起を他方には該突起が嵌合可能な凹部をそれぞれ形成し、該凹部と突起との嵌合によりラッチ片を前後回動可能に引き手枠内に装着するとともに、該ラッチ片と引き手枠背面部材との間にはスプリングを介在させ、該スプリングの前方付勢力でラッチ片の外側端が引き手枠の外側前縁部材に当接しラッチ片のラッチ爪が外側前縁部材の貫通窓から前方に突出するようにした構成からなる、請求項１または２に記載の引き戸用ラッチ付き引き手。
【発明の詳細な説明】
【０００１】
【発明の属する技術分野】
本発明は、引き戸に装着する引き手の技術に係わり、更に詳しくは、家具や収納庫等の開口部に配置する引き戸の前面側端部にワンタッチ操作で装着し、引き戸を閉めた際の反動開放防止用、或いは地震時における収納物の落下防止用として、ラッチ機能を備えた引き戸用の引き手に関するものである。
【０００２】
【従来の技術】
引き戸を閉めた際の反動などに伴う開放を防止するラッチ機構としては種々の形態が知られている。従来の引き戸のラッチ機構には、引き戸側端とこの側端が当接する戸枠の一方にラッチ爪を備えるとともに他方にラッチ爪と係合するラッチ受けを備え、引き手部にはラッチ爪とラッチ受けの係合を解除する操作部を備えるとともに、この操作部からラッチ爪またはラッチ受けに至る操作機構のいくつかの部品を引き戸の内部空間に収納して取り付ける構造のものが多い。そしてこの従来のラッチ機構は、その多くが先端にフックを備えたラッチ爪を引き戸開閉方向に向けて取り付けるとともに相手方の部材にはそれに対峙する位置にラッチ受けを形成し、ラッチ爪またはラッチ受けのいずれかの部材を収納庫と引き戸の開放部に突出させ、しかもその基部およびそれに連係する部材を引き戸または戸枠の狭い内部空間に収納しているため、組立調整作業が繁雑で、突出部が収納庫の意匠的美観を損ね、且つ収納物の出し入れの際に手を引っ掛けたり収納物を引っ掛けたりするといった危険があった。
【０００３】
【発明が解決しようとする課題】
前述の状況に鑑み本発明が解決しようとするところは、部品点数が少なく低価格で製作と組み立てができ、構成部材を引き戸や戸枠部の狭い内部空間に収納して取り付ける必要が無く装着がワンタッチ操作で容易に行え、しかも、収納庫の引き戸開放部側への突出部が無く、安全で且つ収納庫の意匠的美観を損なわないようなラッチ機能を備えた引き手を提供する点にある。
【０００４】
【課題を解決するための手段】
前述の課題解決のため、本発明では、前面板とこれに略直交する端面板とを有してなる引き戸の前面側端に形成した略矩形の装着穴の上下端と内側端にそれぞれの対応端が接し且つ外側端が引き戸の側端面に露出する略矩形の枠部と、該枠部前端の外側と内側の端部近傍を覆う前縁部材と、前記枠部後端を横切る背面部材と、前記枠部を前記装着穴に装着穴外端側から挿入して装着穴に係止する係止手段とを有してなる引き手枠を形成し、該引き手枠の前記外側前縁部材の中央には貫通窓を形成する一方、前記引き手枠の枠部内周よりもやや小さく外側端近傍の中央に前方突出し且つ外側面が内側に傾斜するラッチ爪を備えてなるラッチ片の内側端を、前記引き手枠の枠内の内側端寄りに前後回動可能に装着し、ラッチ片と前記背面部材との間には付勢手段を介在させ、ラッチ片外側端が引き手枠の外側前縁部材に当接し且つラッチ爪先端が前縁部材の貫通窓から前方突出するように付勢した構成とする。
【０００５】
なお、前記において、引き戸の装着穴への引き手枠の係止手段は、引き戸側端に形成した装着穴に対し引き手枠を係止する係止手段が、引き手枠の枠部前方の上下端および内側端のうち少なくとも上下端からそれぞれ外向け垂直に突出形成した鍔部または段部と、該鍔部または段部背後の枠部の少なくとも上下端に配設した係止爪と、前記枠部後端の外側端寄りに引き戸端面板に沿う方向に形成した切欠溝とで構成され、前記鍔部または段部と係止爪とが引き戸前面板の装着穴端縁を挟持して引き手枠の前後動を規制し且つ左右動を許容するとともに、前記切欠溝には引き戸端面板の装着穴端縁を係合させ引き手枠の左右動を規制するようにするのが好ましい。
【０００６】
或いは、前記において、引き手枠の枠部前端部は、内側端近傍から内側端にかけて次第に前方に張り出す前方張り出し部を備え、ラッチ片は内側端寄りが前記枠部の前端部に合わせ前方に曲折する形状に形成する一方、前記枠部内の上下面の内側端寄り前端近傍とラッチ片上下端縁の内側端寄りのいずれか一方には突起を他方には該突起が嵌合可能な凹部をそれぞれ形成し、該凹部と突起との嵌合によりラッチ片を前後回動可能に引き手枠内に装着するとともに、該ラッチ片と引き手枠背面部材との間にはスプリングを介在させ、該スプリングの前方付勢力でラッチ片の外側端が引き手枠の外側前縁部材に当接しラッチ片のラッチ爪が外側前縁部材の貫通窓から前方に突出するように構成すると都合がよい。
【０００７】
なお、本明細書で用いる用語に関し、引き戸前面の右側端に形成した縦長略矩形の装着穴に本発明に係る引き戸用ラッチ付き引き手を装着した引き戸において、外側端とは、前面側から装着穴または引き手を見て、右側端を意味し、内側端とは、同じく左側端を意味し、上下または上下端などの用語は、同じく装着穴または引き手枠の上下または上下端をそれぞれ意味するものとする。従って、本発明に係る引き戸用ラッチ付き引き手を引き戸の左側端に形成した装着穴に装着した引き戸の場合、引き手の構造は左右対称構造とし、その場合たとえば、外側とは左側、内側とは右側をそれぞれ指すものとする。
【０００８】
【発明の実施の形態】
つぎに本発明の実施の形態を添付図面に基づき更に詳細に説明するが、本発明は、添付図面に限定されず特許請求の範囲に記載の要件を満たす実施形態の全てを含むものである。本発明に係る引き戸用ラッチ付き引き手は、主として書棚や商品陳列ラックや収納庫等の開口部の戸枠内に左右移動可能に配置される引き戸の前面側端部に装着して用いられ用いられ、引き戸を閉めた際の反動開放を防止し或いは地震時などにおける収納物の落下を防止するため引き戸のセルフラッチ手段として用いられるものであるが、ここでは、収納庫の引き戸に装着する場合を例にして説明する。図１には、本発明に係る引き戸用ラッチ付き引き手の実施例を示す。なお、この図は、引き戸が戸枠側端に位置し引き手のラッチが作用した状態を中央部で水平断面にして示している。図２には、この引き戸用ラッチ付き引き手を、引き戸に形成した装着穴に装着する際の状態を示し、図３には、前記引き手を装着した引き戸の引き手部分の正面外観を示す。
【０００９】
図において、収納庫本体１の前面開口部の戸枠２内に設けられた２本のレール３，３には、右方外戸と左方内戸の２枚構成からなる引き戸４，４ａが左右移動可能に配置されている。戸枠２の両側端部には、引き戸の引き手１０を設けた側の側端（即ち外戸は右端で内戸は左端）が交差する浅い交差部７を引き戸４前面板と若干の隙間を隔てて対峙するように形成している。
【００１０】
引き戸４の引き手装着部は、垂直の前面板５とこの前面板５を内方略直角に折り曲げて形成した端面板６とを有するパネル状となり、この引き戸４の前面板５の外側端には縦長矩形の装着穴８が端面板６に掛かる状態で切り欠き形成されている。
【００１１】
本発明に係るラッチ付き引き手１０は、上記の装着穴８に装着され、引き手枠１１と、該引き手枠に装着されるラッチ片３０と、該ラッチ片を引き手枠１１内で前方付勢する付勢手段３５とを備えてなり、その基本構成は以下のとおりである。即ち、引き手枠１１は、装着穴８の上下端と内側端にそれぞれの対応端が接し且つ外側端が引き戸４の側端面に露出する矩形の枠部１２と、該枠部前端の外側端と内側端の各近傍を覆う前縁部材１６，１６ａと、枠部１２の後端２３を横切る背面部材１５と、枠部１２を装着穴８に外側端側から前面板５に沿って押し込んで挿入した際に枠部１２を装着穴８に対し複数箇所で係止する係止手段２０とを有してなり、引き手枠１１の外側前縁部材１６の中央には貫通窓１７が形成されている。一方、ラッチ片３０は、外周が引き手枠１１の枠部１２内周よりもやや小さい略矩形の板状部材からなり、その外側端近傍の中央には前方突出し（つまり手前側に突出し）且つ外側面が内側に傾斜する傾斜面３２を有するラッチ爪３１を備え、ラッチ片３０の内側端は前記引き手枠１１の枠部１２内の内側端寄りに前後回動可能に装着されている。そしてラッチ片３０と背面部材１５との間には付勢手段３５が介在し、ラッチ片３１の外側端前面を引き手枠１１の外側前縁部材１６に当接させ且つラッチ爪３１の先端が前縁部材１６の貫通窓１７から前方突出するように付勢している。
【００１２】
一方、戸枠２の両側端に形成された前述の浅い交差部７には、引き戸４に装着された引き手１０のラッチ爪３１に対応する位置にラッチ爪３１先端が進退可能なラッチ受け穴９が形成されており、引き戸４が閉まった位置では、前方付勢されたラッチ爪３１が戸枠２の交差部７のラッチ受け穴９と一致してラッチ受け穴９内に進出し、引き戸４がロックされるように準備されている。
【００１３】
つぎに上記基本構成からなる引き戸４のラッチ付き引き手１０の各構成部材の詳細構造を以下に順次説明する。まず引き手枠１１は、周囲が引き戸４に形成した装着穴８の内周に接し前面が開口し後端が塞がった有底の浅い縦長矩形の枠部１２と、枠部１２の前端内側端（左端）寄りを前方に張り出し且つその内方（左方）端を拡幅して形成した前方張り出し部１４裏側の段部１３と、枠部１２上下端から外向け垂直に延出し且つ段部１３と裏面を同一面となす鍔部２１，２１と、段部１３および鍔部２１から後方に若干離隔して枠部１２の周面に形成された係止爪２２および２２ａ，２２ａと、枠部後端２３の外側端寄りに引き戸端面板６に沿う方向に形成された切欠溝２４とを有して構成されている。そして、枠部前端の外側端（右端）および内側端（左端）の各近傍には前端開口を覆う前縁部材１６，１６ａが形成され、このうち外側端側の前縁部材１６の中央には矩形の貫通窓１７が形成されている。
【００１４】
なお、上記において、枠部１２の底面部材は、ラッチ片３０の前方付勢スプリング３６の後端を支持する背面部材１５であり、枠部１２の上下または左右の壁面の後端２３から枠部中央を通る形態で形成すればよく、図示のように枠部後端２３の全周に亘って連なって形成する必要はない。一方、枠部１２の前端内側端寄りを前方に張り出し左方に拡幅した前方張り出し部１４を形成しているが、この前方張り出し部１４は、引き戸４が薄型構造で引き手１０も薄型にする必要がある場合に都合のよい解決手段である。つまり、前方張り出し部１４は、後述のラッチ片３０を回動可能に取り付ける取付部を確保して且つ引き戸４に形成する装着穴８の幅を小さくし、引き手の引き戸内への嵌合部を小さく且つ浅くするためのものである。従って十分な厚みのある引き戸の場合は、引き手枠の前方張り出し部１４は無くも本発明に係る引き手１０は実現可能である。
【００１５】
つぎに、ラッチ片３０は、引き手枠１１の枠部１２前方の内周面よりも若干小さい略矩形の板状部材で、中央よりやや左方で前方に曲折するとともに内側端近傍の上下端縁には横断面円形の突起３３，３３が形成され、一方、右端（外側端）近傍の中央には前方（手前側）に突出し且つその先端右側面には内側に傾斜する傾斜面３２を有するラッチ爪３１を備えるとともに、裏面中央には付勢スプリング３６の一端を当接支持するための矩形凹状の座部３７と座部３７の中央に支持突起３８が形成された構造からなる。
【００１６】
ラッチ片３０は、板状部材の幅を引き手枠１１の枠部１２内幅よりも若干狭くして且つ該板状部材の外側端中央に外側に向け延出する突部を形成しその突部を基部としてその前面からラッチ爪３１を前方に向け突出形成するか、或いは、板状部材の幅を引き手枠１１の枠部１２内幅と略等しくしてラッチ爪３１を板状部材の外側端近傍の前面から前方に向け突出形成するか、いずれでもよい。
【００１７】
ラッチ爪３１は、引き手枠１１の前縁部材１６の貫通窓１７から前方に突出するため意匠的美観を損ねないよう、縦が約２０ｍｍ前後で横が５ｍｍ前後の縦長の略矩形とするのが好ましく、貫通窓１７もこのラッチ爪の大きさに対し約０．５〜１ｍｍ程度大きめの開口とするのが好ましい。
【００１８】
また、引き手枠１１およびラッチ片３１は若干柔軟性を備えた例えばＡＢＳプラスチックス（アクリロニトリルブタジエンスチレン重合体）またはＰＯＭ（ポリアセタール）などの合成樹脂を用い、射出成型で製作すると好都合である。本発明の引き手１０は、構成部品が複雑な形状なため、低価格で製造することに加え組み立ておよび装着穴８への装着作業を容易に行うためには、若干柔軟性を備えた合成樹脂を用いて射出成型するのが最も好ましい。
【００１９】
枠部１２の前方張り出し部１４の上下内面には、内側端寄りにラッチ片３０の上下端縁の突起３３，３３が嵌合する凹部３４，３４を形成しておく。これにより、前記ラッチ片３１を前記引き手枠１１の前方開口から前縁部材１６，１６ａの奧に挿入し、引き手枠１１をその材料の弾性の範囲内で上下に広げ或いは更にラッチ片３０を前後に曲げて変形させ、ラッチ片３０の突起３３，３３を引き手枠１１の凹部３４，３４に嵌合させると、ラッチ片３０はこの嵌合部を支点として枠部１２内で前後回動可能に支持され且つラッチ爪３１先端が前縁部材１６の貫通窓１７から前方に進退可能となる。この場合、突起３３と凹部３４の嵌合をやや高い精度に成型しておくと凹部３４と突起３３の嵌合代は約１〜３ｍｍ程度のごく僅かな量でよく、組み立て時の引き手枠１１とラッチ片３０の弾性変形量も僅かで済む。
【００２０】
つぎに付勢手段３５は、枠部後端２３の背面部材１５と、ラッチ片３１裏面に形成した矩形凹状の座部３７との間にスプリング３６を圧縮装着して構成する。スプリング３６は、先端をラッチ片裏面の座部３７中央の支持突起３８に係止し基端を枠部１２の背面部材１５に当接させる。つまりスプリング３６は狭い隙間でも凹状座部を効果的に利用してラッチ片３０を前方付勢し、ラッチ片の外側端またはラッチ爪基部を引き手枠の外側前縁部材１６に当接させ、ラッチ爪３１は前縁部材１６の貫通窓１７から前方突出する。そして引き手枠１１手の指先を掛けてスプリング３６の付勢力に抗してラッチ片３０を押すか、或いはラッチ爪３１が押されるとラッチ片が後方回動し、ラッチ爪３１が図１の２点鎖線の状態に退動する。スプリング３６は、狭い空間内で上記機能を有効確実に発揮させるため、図示のような台形コイルスプリングを用いるとよい。台形コイルスプリングは、平行コイルスプリングと異なり、隣接コイルが互いに内外に入り込む形態で圧縮され圧縮時の長さを相当に短くすることができ、ラッチ片裏側の狭い隙間に設ける付勢手段として最適であり、矩形凹状の座部もその役割を補完している。
【００２１】
つぎに、係止手段２０については、枠部１２の前方張り出し部１４の裏側の段部１３と、枠部１２の上下に外向け垂直に延出し裏面が段部１３と同一面となす鍔部２１，２１と、段部１３および鍔部２１，２１から後方に若干離隔して枠部１２上に形成された係止爪２２（図１〜３参照）および２２ａ，２２ａ（図３参照）と、枠部後端２３の外側端寄りに引き戸端面板に沿う方向に形成された切欠溝２４とで構成する。係止爪２２および２２ａ，２２ａは、その前端部が段部１３および鍔部２１の背面と若干の隙間を隔てて対峙し、その隙間は引き戸４の装着穴８端縁の前面板５の厚さにほぼ等しいかそれよりも若干狭く設定する。係止爪２２は、その側面形状を図１，図２に示す様に、枠部１２から突出する基部から先端頭部に至る中間部が薄く形成され、先端頭部を押圧すると前後方向に僅かに弾性変形可能である。係止爪２２ａ，２２ａの側面形状は図示されていないが、図１，図２に示した係止爪２２の側面形状と同じでよく、上記説明と同様に先端頭部を押圧すると前後方向に僅かに弾性変形可能である。一方、枠部後端２３の切欠溝２４は、外側端近傍に上下端部間に亘り垂直に形成すればよい。但し、切欠溝２４については、引き手枠の外側端側への抜け出しを規制する為の手段であるので、図示のような完全な溝形にするほか、溝の両側壁のうち外側端の壁面が欠如した切欠段部（図示しない）に代えることもできる。
【００２２】
なお、係止爪２２および２２ａ，２２ａのうち、枠部１２の内側端側の段部１３と対峙する係止爪２２については省略が可能であり、少なくとも枠部の上下鍔部２１，２１と対峙する係止爪２２ａ，２２ａを設ければよい。また、枠部１２の上下に突設する鍔部２１，２１は、鍔部に代えて、図示は省略するが、枠部内側端の段部３と同様に枠部前端寄りの上下を前方に張り出しその張り出し部を上下に拡幅するなどして段部を形成し、その段部の裏面に例えば上記例と同様に係止爪２２ａ，２２ａを配設する実施形態も可能である。
【００２３】
係止手段２０を前述の構成にすることにより、引き手枠１１にラッチ片３０を装着して組み立てた引き手１０を、図２に示す矢印方向に、装着穴８の側端から差し込んで引き戸４の前面板５に沿って押し込み装着すると、鍔部２１，２１および段部１３と係止爪２２ａ，２２とが引き戸前面板５の装着穴８端縁を挟持して引き手枠１１の前後動を規制し且つ左右動を許容するとともに、装着穴８内端側に当接するまで押し込んだ位置では切欠溝２４（または前記の切欠段部）に引き戸端面板６の装着穴端縁前端が係合し、引き手枠１１の左右動つまり抜け出しが規制される。図１はこの装着完了状態を示している。なおこの場合、引き手１０の押し込み装着時に鍔部２１裏側の係止爪２２ａが引き戸の端面板６との干渉を避けるため、端面板６には図示しない係止爪通過用の切欠が形成されている。また、引き手１０の装着時に引き手枠１１の後端に引き戸端面板６が前方へ押そうとする干渉が起こり抵抗が作用するが、装着穴と引き手枠との隙間を適宜の交差に設定することと、引き戸の板構造の僅かな柔軟性、および引き手１０と係止爪２２ａの柔軟性などが相乗的に作用して、塑性変形が生じないように装着できるようにしてある。
【００２４】
つぎに、上記構成からなる引き戸のラッチ付き引き手１０の作用を説明する。引き手枠１１にラッチ片３０を装着して組み立てた引き手１０は、前述の如く、図２に示す矢印方向に装着穴８の側端から引き戸の前面板５に沿って押し込むとワンタッチ操作で装着ができる。装着された引き手１０は、係止手段２０により前後左右の動きが規制される。この引き手１０を装着した引き戸４は、閉める際には、引き戸側端が戸枠側端交差部７に到達すると、前方付勢された前記ラッチ片３０のラッチ爪３１先端の傾斜面３２が交差部７の端部に当接し、けいしゃめん３２を押す結果ラッチ爪３１が引き手枠１１内に押し込まれ、図１の２点鎖線で示す状態となる。そして、引き戸４の側端が戸枠２の奧端に到達し引き戸４が閉まった位置では、ラッチ爪３１が戸枠交差部７のラッチ受け穴９と一致し、スプリング３６の付勢力でラッチ爪３１がラッチ受け穴９に進出し、これに係合して引き戸４がロックされる。この状態を図１の実線で示している。
【００２５】
なお、引き戸４を開く際には、引き手枠１１に手先を掛けるとその動作に伴ってラッチ片３０を引き手枠内に押し込む結果、ラッチ片３０が後方回動しラッチ爪３１の係合が解除される（図１の２点鎖線で示す状態）とともに、後方回動したラッチ片３０の回動支点側が傾斜してラッチ３０片の曲折部から内側端側の面に指先が掛かり易くなるので、この傾斜部と引き手枠内側端側の前縁部材１６ａに指先を掛けて引けば引き戸４は容易に開くことができる。一方、引き戸を閉める際も同様に、引き手枠１１に手先を掛けてラッチ片３０を引き手枠内に押し込み、ラッチ片３０先端と引き手枠外側端側の前縁部材１６との間に隙間が生じ、前縁部材１６に指先を掛けて引き戸４を閉めることが容易になる。
【００２６】
以上のように、引き戸４を閉めるとラッチが自動的に作動して引き戸がロックされ、反動で引き戸が開くことがなくなり、半開き状態で放置されることが少なくなる。また、引き戸に施錠しないでも運搬時や地震の際に引き戸が開くことがなく、収納物が飛び出して落下することを防止できる。
【００２７】
つぎに、係止手段に関し、前述の段部および鍔部と係止爪による係止方法に代わる別の係止手段２０ａの実施形態を図４に示す。図４は引き手１０ａを引き戸４に装着直前の状態を手前側斜め上方から見た図である。この図に示す引き手１０ａは、引き手枠１１ａの枠部１２ａ上下端前方寄りに引き戸４の装着穴８ａ端縁の前面板５が嵌合する案内溝４０，４０を前端面に沿って形成するとともに内側端にも同様の溝形の係止凹部４１を形成し、且つ、枠部後端２３ａの外側端寄りには、前述同様の引き戸の装着穴端縁の端面板に沿う方向に切欠溝２４ａ（前述の図１〜３の説明内容と同様の切欠段部としてもよい）を形成して構成している。この場合の引き戸装着穴８ａの切欠開口高さについては、図４に示す如く、引き戸端面板６の開口高さは引き手枠１１ａの枠部１２ａの高さに略等しく、引き戸前面板５の開口高さはそれよりも狭く上下案内溝４０，４０の底部間の高さに略等しくするとともに、切欠溝２４ａ（または前記の切欠段部）の位置については、引き手枠１１ａ内側端の係止凹部４１が装着穴８ａ内側端に当接した際の引き戸端面板６が枠部後端２３ａと対面する位置に形成する。
【００２８】
これによって、案内溝４０は、引き手１０ａを装着穴８ａに対し矢印の方向に沿って押し込み装着する際の案内として作用する。そして内側端の係止凹部４１と連係して引き手枠１１ａの前後動を規制する。一方、切欠溝２４ａ（または前記の切欠段部）には、引き戸４の装着穴８ａ端縁の端面板６前端が係合して引き手の左右動即ち抜け出しを規制する。なお、上記において引き手枠１１ａの内側端の係止凹部４１は省略してもよく、その場合も同じ作用効果が得られる。また、図示はしないが、前述の例における鍔部２１，２１裏側の係止爪２２ａ，２２ａに代えて上記の様な案内溝４１，４１を形成してもよい。
【００２９】
図４の引き手１０ａは、係止手段が上記のように異なる事と、枠部１２ａ前端に前端張り出し部を形成していない点が異なるが、その他の構造は前述の図１〜３に基づく説明と同じ構造であり、その装着の手順および作用は前述の説明とほぼ同じであるため、作用の説明は省略する。
【００３０】
【発明の効果】
以上にしてなる請求項１に係る発明の引き戸用ラッチ付き引き手は、引き手枠と該引き手枠の枠部内側端近傍に前後回動可能に装着したラッチ片および該ラッチ片を背後から前方付勢するスプリングの３個の部材のみでも構成できる。そして引き手を組み立てた状態で、引き戸側端の装着穴の外側端側から内側端に向け引き戸前面板に沿って押し込むと、このワンタッチ操作で引き手の係止手段が自動的に作動して装着が完了する。なお、引き戸を閉める際に引き戸側端が戸枠の引き戸側端との交差部に到達すると、ラッチ爪先端が前記交差部の内側端に当接して引き手枠内に押し込まれ、引き戸側端が戸枠交差部の奧端に到達した位置では、ラッチ片の前方付勢作用でラッチ爪がラッチ受け穴に進出して引き戸がロックされる。一方、引き戸を開く際には、引き手枠に手先を掛けラッチ片を押し込むと、ラッチ片が後方回動しラッチ爪の係合が解除されるとともに、後方回動したラッチ片の回動支点側が傾斜して指先が掛かり易くなるので、この傾斜部と引き手枠内側端側の前縁部材に指先を掛けて引けば引き戸は容易に開くことができる。つまり、本発明に係る引き戸用ラッチ付き引き手は、構成部材を引き戸や収納庫本体の狭い内部空間に収納して取り付ける必要が無いので、装着がワンタッチ操作で容易に行え、僅かな部品構成から成る簡単な構造にも拘わらず必要機能をすべて備え、部品点数が少なく且つ引き手枠とラッチ片は合成樹脂を素材として射出成型可能なため低価格で製作ができ、しかも収納庫の引き戸開放部側への突出部が無いため手や収納物を引っ掛ける恐れがなく安全であり、意匠的美観を損なうこともないといった効果がある。
【００３１】
また、本発明の請求項２は、本発明の引き戸用ラッチ付き引き手において、装着穴に対する係止手段の具体的形態に関するものであるが、引き手の装着穴への係止手段をこのような構成にすることにより、引き手枠の射出成型時に係止部を枠部に一体成型することが容易となり、装着穴の外側端側即ち引き戸端面板の側から内側端に向け引き戸前面板に沿って押し込むだけのワンタッチ操作で引き手の装着係止ができる。つまり製造および組み立てのコストを大幅に低減することが容易となるといった効果がある。
【００３２】
また、本発明の請求項３は、本発明の引き戸用ラッチ付き引き手において、引き手枠とラッチ片の具体的な細部形状と取付構造に関するものであるが、引き手枠とラッチ片を若干柔軟性のある例えば前述のＡＢＳプラスチックスまたはＰＯＭなどの合成樹脂を用いてこのような形状構造に射出成型すると、当該部材の弾性変形範囲内で引き手枠またはラッチ片を変形させ、取付部の一方の突起と他方の凹部とを嵌合させてラッチ片を枠部に前後回動可能に装着することが可能である。つまり、ヒンジピンなどの別部品を介在させる必要が無く、部品点数が少なく且つワンタッチで容易に組立が可能な引き手を提供できる。また、枠部内側端寄りに前方張り出し部を形成してラッチ片をその形状に合わせて曲折するとともに、枠部前端は枠部よりも僅かに小さいラッチ片で枠部内を覆い隠す構成にしたことにより、引き手に手を掛けてラッチ片を押し込んだ際の指先の掛かりをよくする機能的作用効果に加え意匠的美観をも生み出す作用効果が得られた。
【図面の簡単な説明】
【図１】本発明に係る引き戸用ラッチ付き引き手の実施例を示し、引き戸が戸枠側端に位置しラッチが作用した状態を中央部で水平断面にして示す部分図である。
【図２】図１の引き戸用ラッチ付き引き手を、引き戸に形成した装着穴に装着する直前状態を説明する図である。
【図３】図１の引き戸用ラッチ付き引き手の装着状態を正面から見た部分図である。
【図４】本発明に係る引き戸用ラッチ付き引き手の別の実施例を示し、引き戸に形成した装着穴に装着する直前状態を説明する図である。
【符号の説明】
１　収納庫本体
２　戸枠
３　レール
４，４ａ　引き戸
５　前面板
６　端面板
７　交差部
８，８ａ　装着穴
９　ラッチ受け穴
１０，１０ａ　引き手
１１，１１ａ　引き手枠
１２，１２ａ　枠部
１３　段部
１４　前方張り出し部
１５　背面部材
１６，１６ａ　前縁部材
１７　貫通窓
２０，２０ａ　係止手段
２１　鍔部
２２，２２ａ　係止爪
２３，２３ａ　枠部後端
２４，２４ａ　切欠溝
３０　ラッチ片
３１　ラッチ爪
３２　傾斜面
３３　突起
３４　凹部
３５　付勢手段
３６　スプリング
３７　座部
３８　支持突起
４０　案内溝
４１　係止凹部
【図１】
2004060317.tif 000003
【図２】
2004060317.tif 000004
【図３】
2004060317.tif 000005
【図４】
2004060317.tif 000006